(57)【特許請求の範囲】
【請求項１】
複数の終端装置を有する局側装置と、該局側装置と光伝送路を介して接続された、可変波長フィルタを有する複数の加入者側装置と、を含んで構成され、前記複数の終端装置に、互いに異なる波長が割り当てられるネットワークにおいて、未登録の加入者側装置を登録する方法であって、
前記複数の終端装置が、全ての前記加入者側装置に対して、第１周期で周期的に帯域割当信号を送信する過程と、
少なくとも１つの終端装置が、前記第１周期の定数倍の第２周期で、全ての前記加入者側装置に対して、応答要求信号を送信する過程と、
複数の前記帯域割当信号を受け取った未登録の加入者側装置が、前記帯域割当信号の受信間隔に基づいて前記第１周期を特定し、及び前記第１周期に基づいて前記第２周期を算出する過程と、
未登録の加入者側装置が、算出した前記第２周期よりも長い周期で、周期的に前記可変波長フィルタの透過波長を変更する過程と、
前記応答要求信号を受け取った未登録の加入者側装置と、いずれかの前記終端装置とが、登録処理を行う過程と、
を含むことを特徴とする加入者側装置登録方法。
【請求項２】
未登録の加入者側装置は、順次に前記可変波長フィルタの透過波長を変更しながら前記帯域割当信号を待機する
ことを特徴とする請求項１に記載の加入者側装置登録方法。
【請求項３】
前記帯域割当信号を受け取らない時間が、前記第１周期の最大値の２倍を経過するとき、未登録の加入者側装置は、前記可変波長フィルタの透過波長を変更する
ことを特徴とする請求項２に記載の加入者側装置登録方法。
【請求項４】
複数の終端装置を有する局側装置と、
該局側装置と光伝送路を介して接続されている複数の加入者側装置と
を備え、
前記終端装置は、
帯域割当信号を生成する局側信号生成手段と、
前記帯域割当信号を含む下り光信号を前記加入者側装置に送る局側光信号送信部と
を有し、
前記加入者側装置は、
前記下り光信号を受け取る、可変波長フィルタを備える加入者側光信号受信部と、
前記下り光信号から、前記帯域割当信号を読み取る加入者側信号読取手段と、
前記帯域割当信号の受信間隔を測定することによって、第１周期を特定する信号間隔測定手段と、
前記第１周期に基づいて第２周期を算出するディスカバリ周期算出手段と、
算出された前記第２周期よりも長い周期で、周期的に前記可変波長フィルタの透過波長を変更する可変波長フィルタ制御手段と
を有する
ことを特徴とする光ネットワークシステム。
【発明の詳細な説明】
【技術分野】
【０００１】
この発明は、複数の終端装置を有する局側装置と、１又は複数の加入者側装置とで構成される光ネットワークシステム、及び該光ネットワークシステムにおける加入者側装置登録方法に関する。
【背景技術】
【０００２】
通信事業者の所有する建物（局）と加入者宅を結ぶ通信網は、アクセス系ネットワークと呼ばれる。昨今の通信容量の増大を受け、アクセス系ネットワークでは、光通信を利用することにより膨大な情報量の伝送を可能とする、光アクセス系ネットワークが主流になりつつある。
【０００３】
光アクセス系ネットワークの一形態として受動型光加入者ネットワーク（ＰＯＮ：Ｐａｓｓｉｖｅ  Ｏｐｔｉｃａｌ  Ｎｅｔｗｏｒｋ）がある。ＰＯＮは、局内に設けられる１つの局側装置（ＯＬＴ：Ｏｐｔｉｃａｌ  Ｌｉｎｅ  Ｔｅｒｍｉｎａｌ）と、加入者宅にそれぞれ設けられる複数の加入者側装置（ＯＮＵ：Ｏｐｔｉｃａｌ  Ｎｅｔｗｏｒｋ  Ｕｎｉｔ）と、光スプリッタとを備えて構成される。ＯＬＴ及びＯＮＵと、光スプリッタとは、光ファイバで接続される。
【０００４】
ＯＬＴと光スプリッタの間の接続には、一芯の光ファイバが用いられる。この一芯の光ファイバは、複数のＯＮＵにより共有される。また、光スプリッタは、安価な受動素子である。このように、ＰＯＮは、経済性に優れ、また、保守も容易である。このため、ＰＯＮの導入は、急速に進んでいる。
【０００５】
ＰＯＮでは、各ＯＮＵからＯＬＴに送られる信号（以下、上り光信号と称することもある）は、光スプリッタで合波されてＯＬＴに送信される。一方、ＯＬＴから各ＯＮＵに送られる信号（以下、下り光信号と称することもある）は、光スプリッタで分波されて各ＯＮＵに送信される。なお、上り光信号と下り光信号との干渉を防ぐために、上り光信号と下り光信号には、それぞれ異なる波長が割り当てられる。
【０００６】
また、ＰＯＮでは、様々な多重技術が用いられる。ＰＯＮで用いられる多重技術には、時間軸上の短い区間を各加入者に割り当てる時分割多重（ＴＤＭ：Ｔｉｍｅ  Ｄｉｖｉｓｉｏｎ  Ｍｕｌｔｉｐｌｅｘ）技術、異なる波長を各加入者に割り当てる波長分割多重（ＷＤＭ：Ｗａｖｅｌｅｎｇｔｈ  Ｄｉｖｉｓｉｏｎ  Ｍｕｌｔｉｐｌｅｘ）技術、異なる符号を各加入者に割り当てる符号分割多重（ＣＤＭ：Ｃｏｄｅ  Ｄｉｖｉｓｉｏｎ  Ｍｕｌｔｉｐｌｅｘ）技術などがある。これらの多重技術の中で、ＴＤＭを利用するＴＤＭ−ＰＯＮが、現在最も広く用いられている。ＴＤＭ−ＰＯＮでは、ＴＤＭＡ（Ｔｉｍｅ  Ｄｉｖｉｓｉｏｎ  Ｍｕｌｔｉｐｌｅ  Ａｃｃｅｓｓ）が用いられている。ＴＤＭＡは、ＯＬＴが、各ＯＮＵの送信タイミングを管理して、異なるＯＮＵからの上り光信号同士が衝突しないように制御する技術である。
【０００７】
ＰＯＮシステムの中で、Ｅｔｈｅｒｎｅｔ（登録商標）技術を使用したものを、Ｅｔｈｅｒｎｅｔ（登録商標）−ＰＯＮと称し、Ｇｉｇａｂｉｔ（１×１０９ｂｉｔ／ｓｅｃ）Ｅｔｈｅｒｎｅｔ（登録商標）技術を使用したものをＧＥ−ＰＯＮと称する。ＧＥ−ＰＯＮは、例えばＩＥＥＥ８０２．３ａｈやＩＥＥＥ８０２．３ａｖで標準化されている。
【０００８】
ＧＥ−ＰＯＮシステムにおいて、ＯＬＴとＯＮＵとの間の通信を行うためには、ＯＬＴにＯＮＵを登録する必要がある。ＧＥ−ＰＯＮシステムでは、１つのＯＬＴに対して、複数のＯＮＵが接続されているため、新たなＯＮＵの登録は、他の登録済みのＯＮＵとＯＬＴとの間の通信に影響することなく行われる必要がある。そのため、上記ＩＥＥＥ８０２．３ａｈ又はＩＥＥＥ８０２．３ａｖ（以下、標準と称する）では、未登録のＯＮＵがＯＬＴに検出され、登録される手順（以下、ディスカバリシーケンスと称する）が規定されている。
【０００９】
ＯＬＴは、周期的にディスカバリゲートをブロードキャスト送信する。ディスカバリゲートは、ＯＮＵが登録されているか否かに関わらず全てのＯＮＵに対して送信される。なお、ＯＬＴがディスカバリゲートを送信する周期をディスカバリ周期と称する。ＰＯＮシステムに新たに接続されたＯＮＵは、電源がＯＮ状態になり、信号の受信が可能な状態になると、周期的にディスカバリゲートを受信する。
【００１０】
未登録のＯＮＵでは、ディスカバリゲートを受信すると、ＯＬＴに対して登録を要求するレジスタリクエストを送信する。レジスタリクエストには、各ＯＮＵの個体識別番号としてのＭＡＣアドレスが含まれている。
【００１１】
一方、ＯＬＴでは、ディスカバリウィンドウが設定されている。ＯＬＴは、このウィンドウが開いている時間の間、レジスタリクエストの受信を待つ。
【００１２】
ＯＬＴは、レジスタリクエストを受信することで、ＯＮＵのＭＡＣアドレスを認識する。ＯＬＴは、認識したＭＡＣアドレスを有するＯＮＵ宛にレジスタを送る。レジスタには、ＰＯＮシステムにおけるリンク番号（ＬＬＩＤ）が含まれている。
【００１３】
また、ＯＬＴは、レジスタの送信に続いて、送信帯域及び送信タイミングを通知して、上り光信号の送信を許可するゲートをＯＮＵに送る。
【００１４】
ゲートを受信したＯＮＵは、レジスタアック（ＡＣＫ）をＯＬＴに対して送信する。ＯＬＴがレジスタアックを受信すると、ＯＮＵの登録が完了する。すなわち、ディスカバリシーケンスが終了する。
【００１５】
ＯＮＵが登録された後は、ＯＬＴ−ＯＮＵ間の通常の通信が行われる。
【００１６】
ところで、ＴＤＭ及びＷＤＭを併用したＰＯＮシステム（以下、ＴＤＭ／ＷＤＭ−ＰＯＮとも称する）が提案されている。ＴＤＭ／ＷＤＭ−ＰＯＮでは、例えばＯＬＴが複数の終端装置（ＯＳＵ：Ｏｐｔｉｃａｌ  Ｓｕｂｓｃｒｉｂｅｒ  Ｕｎｉｔ）を有している。
【００１７】
ＴＤＭ／ＷＤＭ−ＰＯＮでは、各ＯＳＵに、それぞれ異なる送信波長が割り当てられる。そして、各ＯＳＵは、割り当てられた送信波長の下り光信号を送信する。一方、ＯＮＵは、ＯＳＵから下り光信号によって通知された送信波長及び送信タイミングで上り光信号を送信する。ＴＤＭ／ＷＤＭ−ＰＯＮでは、管理するＯＮＵを、複数のＯＳＵで振り分けて管理し、１つのＯＳＵが管理するＯＮＵを減らすことにより、加入者に提供するサービス帯域を増大させることができる。
【００１８】
ここで、ＴＤＭ／ＷＤＭ−ＰＯＮでは、ＯＮＵは、複数のＯＳＵのうちのいずれかに登録されればよい。既に説明したように、ＴＤＭ／ＷＤＭ−ＰＯＮでは、ＯＮＵは、ＯＳＵに応じた波長で通信を行うため、送信及び受信可能な波長が可変であるのが好ましい。
【００１９】
そこで、ＴＤＭ／ＷＤＭ−ＰＯＮにおいて、ＯＮＵに可変波長フィルタを設ける構成がある（例えば、特許文献１参照）。
【００２０】
この構成において、未登録のＯＮＵは、可変波長フィルタの透過波長を掃引して、ディスカバリゲートを待機する。
【００２１】
未登録のＯＮＵは、下り光信号が入力されると、その光パワーを測定する。そして、測定された光パワーがある値よりも小さい場合には、可変波長フィルタの透過波長を変更し、異なる透過波長を設定する。
【００２２】
また、測定された光パワーがある値以上の場合には、未登録のＯＮＵは、下り光信号がディスカバリゲートであるか否かを判定する。ディスカバリゲートが検出されれば、上述した各過程により、ディスカバリシーケンスが行われる。一方、ディスカバリゲートが検出されなければ、ディスカバリゲートを一定時間待機する。この一定時間の間にディスカバリゲートを受信しない（すなわちタイムアウトとなる）場合には、再び可変波長フィルタの透過波長を変更し、異なる透過波長を設定する。
【００２３】
そして、未登録のＯＮＵは、ディスカバリゲートを受信するまで、可変波長フィルタの透過波長を変更しつつ繰り返し設定し、ディスカバリゲートを受信できる透過波長を探索する。
【００２４】
ここで、あるタイミングで設定される可変波長フィルタの透過波長における、未登録のＯＮＵの待機時間は、ディスカバリ周期よりも大きく設定される。すなわち、各透過波長での未登録のＯＮＵの待機時間ＴＴ−ＦＬは、ディスカバリ周期ＴＤＩＳに対して、下式（１）の条件で設定される。
【００２５】
ＴＴ−ＦＬ＞ＴＤＩＳ      ・・・（１）
その結果、各透過波長での待機時間内に、少なくとも１回は、ディスカバリゲートが送信される。従って、設定される各透過波長において、ディスカバリゲートを受信できるか否かを正しく判定することができる。そして、未登録のＯＮＵは、可変波長フィルタの透過波長を順次変更することによって、ディスカバリゲートを確実に受信することができる。
【先行技術文献】
【特許文献】
【００２６】
【特許文献１】特開２０１１−００４２７０号公報
【発明の概要】
【発明が解決しようとする課題】
【００２７】
ＴＤＭ／ＷＤＭ−ＰＯＮにおいて、通常、ディスカバリ周期ＴＤＩＳは、動的帯域割当（ＤＢＡ：Ｄｙｎａｍｉｃ  Ｂａｎｄｗｉｄｔｈ  Ａｌｌｏｃａｔｉｏｎ）周期の定数α倍（α＞１）に設定される。ＤＢＡ周期は、ＯＳＵが、ＯＮＵに対して送信帯域や送信タイミングを通知する帯域割当信号（例えば上述した標準ではゲート）の送信周期である。また、定数αは、パラメータ設定値として、システムの運用時に予め設定された値である。従って、ＤＢＡ周期に変更が生じた場合には、ディスカバリ周期ＴＤＩＳも変更される。
【００２８】
そして、ディスカバリ周期ＴＤＩＳが変更されることによって、各透過波長での未登録のＯＮＵの待機時間ＴＴ−ＦＬが、ディスカバリ周期ＴＤＩＳよりも小さくなる場合がある。その場合には、各透過波長での未登録のＯＮＵの待機時間ＴＴ−ＦＬと、ディスカバリ周期ＴＤＩＳとは、下式（２）の関係となる。
【００２９】
ＴＴ−ＦＬ＜ＴＤＩＳ      ・・・（２）
上式（２）の状態では、ディスカバリゲートの送信間隔において、可変波長フィルタの透過波長が変更される。そのため、ディスカバリゲートの波長と可変波長フィルタの透過波長とが、一致しない状態が続くことがある。従って、ディスカバリシーケンスの開始までに長い時間を要する可能性が大きい。
【００３０】
ここで、上式（１）の関係を維持するために、ＯＳＵが、ＤＢＡ周期に変更が生じた際に、その都度、ＤＢＡ周期の変更をＯＮＵに対して通知する方法が考えられる。
【００３１】
しかしながら、起動していないＯＮＵは、ＤＢＡ周期の変更の通知を受け取ることができない。そのため、この方法では、起動時において、ＤＢＡ周期の変更に対応した待機時間ＴＴ−ＦＬを設定することができない。
【００３２】
また、上式（１）の関係を維持するために、取り得る最大のＤＢＡ周期を想定して、各透過波長での未登録のＯＮＵの待機時間ＴＴ−ＦＬを設定する最大想定法が考えられる。最大想定法では、未登録のＯＮＵは、ＤＢＡ周期の最大値に基づいてディスカバリ周期ＴＤＩＳを算出する。そして、そのディスカバリ周期ＴＤＩＳに対して、上式（１）が成立するように待機時間ＴＴ−ＦＬを設定する。その結果、ＤＢＡ周期が変更されても、待機時間ＴＴ−ＦＬが、ディスカバリ周期ＴＤＩＳ以下となることはなく、上式（１）の関係を維持することができる。
【００３３】
しかしながら、最大想定法では、待機時間ＴＴ−ＦＬを大きく設定するため、タイムアウトまでに長時間を要する。従って、ＤＢＡ周期が最大でない場合では、ディスカバリゲートの波長と可変波長フィルタの透過波長とが一致しない状態において、未登録のＯＮＵが受信不能なディスカバリゲートが複数送信される可能性が高い。そのため、未登録のＯＮＵがディスカバリゲートを受信する効率が悪く、ディスカバリシーケンスの開始及び完了までに長い時間を要する。
【００３４】
この発明の目的は、ＴＤＭ／ＷＤＭ−ＰＯＮにおいて、ＤＢＡ周期の変更に対応して、各透過波長での未登録のＯＮＵの待機時間ＴＴ−ＦＬを設定でき、その結果、ディスカバリシーケンスを早期に完了できる加入者側装置登録方法及び光ネットワークシステムを提供することにある。
【課題を解決するための手段】
【００３５】
上述の目的を達成するために、この発明による加入者側装置登録方法は、以下の特徴を備えている。
【００３６】
すなわち、この発明による加入者側装置登録方法は、複数の終端装置を有する局側装置と、局側装置と光伝送路を介して接続された、可変波長フィルタを有する複数の加入者側装置とを含んで構成され、複数の終端装置に、互いに異なる波長が割り当てられるネットワークにおいて実行される、以下の過程を備えている。
【００３７】
複数の終端装置が、全ての加入者側装置に対して、第１周期（例えば上述したＤＢＡ周期）で周期的に帯域割当信号を送信する。また、少なくとも１つの終端装置が、第１周期の定数倍の第２周期（例えば上述したディスカバリ周期）で、全ての加入者側装置に対して、応答要求信号を送信する。そして、複数の帯域割当信号を受け取った未登録の加入者側装置が、帯域割当信号の受信間隔に基づいて第１周期を特定し、及び第１周期に基づいて第２周期を算出する。次に、未登録の加入者側装置が、算出した第２周期よりも長い周期で、周期的に可変波長フィルタの透過波長を変更する。次に、応答要求信号を受け取った未登録の加入者側装置と、いずれかの終端装置とが、登録処理を行う。
【発明の効果】
【００３８】
この発明による加入者側装置登録方法では、未登録の加入者側装置が、帯域割当信号の受信間隔に基づいて、ディスカバリ周期ＴＤＩＳを算出して特定することができる。そのため、上式（１）の条件を満たす待機時間ＴＴ−ＦＬを確実に設定することができる。
【００３９】
また、この発明による加入者側装置登録方法では、ディスカバリ周期ＴＤＩＳを特定できるため、待機時間ＴＴ−ＦＬを、上式（１）の条件を満たす最小値に設定することができる。そのため、タイムアウトまでの時間を短縮することができ、ディスカバリシーケンスを早期に開始及び完了することができる。
【図面の簡単な説明】
【００４０】
【図１】ＴＤＭ／ＷＤＭ−ＰＯＮの概略構成図である。
【図２】ＯＳＵの概略構成図である。
【図３】ＯＮＵの概略構成図である。
【図４】この発明の加入者側装置登録方法における、未登録の加入者側装置の動作を説明するフローチャートである。
【図５】ゲートのフレームを示す図である。
【図６】（Ａ）及び（Ｂ）は、未登録の加入者側装置がディスカバリゲートを受信するまでの流れを説明する図である。
【発明を実施するための形態】
【００４１】
以下、図を参照して、この発明の実施の形態について説明するが、各構成要素の配置関係については、この発明が理解できる程度に概略的に示したものに過ぎない。また、以下、この発明の好適な構成例につき説明するが、数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。
【００４２】
（ＴＤＭ／ＷＤＭ−ＰＯＮ）
この発明による加入者側装置登録方法は、ＴＤＭ／ＷＤＭ−ＰＯＮで用いられる。そこで、先ず、図１を参照してＴＤＭ／ＷＤＭ−ＰＯＮの構成について説明する。
【００４３】
ＴＤＭ／ＷＤＭ−ＰＯＮ１０は、ＯＬＴ１００と、光伝送路３００と、ＯＬＴ１００に光伝送路３００を介して接続されている複数のＯＮＵ４００とを含んで構成されている。ＯＬＴ１００は、管理部１１０、スイッチング素子１２０、複数のＯＳＵ２００、及び合分波器１３０を有している。
【００４４】
光伝送路３００は、例えば光ファイバ３１０及び３３０、並びに光スプリッタ３２０を含んで構成されている。図１に示す構成例では、ＯＬＴ１００の合分波器１３０と接続された光ファイバ３１０が、光スプリッタ３２０によって分岐されている。そして、分岐された光ファイバ３３０に、ＯＮＵ４００がそれぞれ接続されている。
【００４５】
ＯＮＵ４００は、ユーザ端末から受信した上りデータ信号と、帯域の要求などを行う上り制御信号を含む上り光信号を生成し、ＯＳＵ２００に送信する。
【００４６】
ＯＳＵ２００は、上位ネットワークから受信した下りデータ信号と、ＯＮＵ４００を管理するための下り制御信号を含む下り光信号を生成し、ＯＮＵ４００に送信する。
【００４７】
なお、図１では、４つのＯＳＵ２００−１〜４と４つのＯＮＵ４００−１〜４を備える構成例を示しているが、ＯＳＵ２００及びＯＮＵ４００の数はこれに限定されない。ＯＳＵ２００及びＯＮＵ４００の詳細な構成及び機能については、後述する。
【００４８】
ここで、ＴＤＭ／ＷＤＭ−ＰＯＮ１０では、ＯＮＵ４００は、複数のＯＳＵ２００のうちのいずれかに登録されればよい。
【００４９】
ＴＤＭ／ＷＤＭ−ＰＯＮ１０では、各ＯＳＵ２００に、それぞれ異なる波長が割り当てられる。そして、各ＯＳＵ２００は、割り当てられた波長の下り光信号を送信する。また、各ＯＳＵ２００は、割り当てられた波長の上り光信号を受信する。
【００５０】
一方、ＯＮＵ４００は、登録されるＯＳＵ２００が受信可能な波長の上り光信号を送信する。このとき、同じＯＳＵ２００に登録されている他のＯＮＵ４００からの上り光信号が重ならないように、同じＯＳＵ２００に登録されている各ＯＮＵ４００には、それぞれ異なる送信タイミングが割り当てられる。
【００５１】
ＴＤＭ／ＷＤＭ−ＰＯＮ１０では、ＯＮＵ４００を、複数のＯＳＵ２００で振り分けて管理し、１つのＯＳＵ２００が管理するＯＮＵ４００の数を減らすことにより、加入者に提供するサービス帯域を増大させることができる。
【００５２】
ＯＬＴ１００が備える管理部１１０は、各ＯＳＵに登録されているＯＮＵ４００の情報（ＰＯＮリンク情報）を管理している。管理部１１０は、ＰＯＮリンク情報をＲＡＭ（Ｒａｎｄｏｍ  Ａｃｃｅｓｓ  Ｍｅｍｏｒｙ）等の記憶部（図示を省略する）に読み出し及び書き換え自在に格納している。そして、管理部１１０は、スイッチング素子１２０から受け取る下りデータ信号の宛先やトラフィックなどの情報と、ＰＯＮリンク情報とに基づいて送信プランを作成する。管理部１１０は、送信プランをスイッチング素子１２０及び各ＯＳＵ２００に通知する。
【００５３】
また、管理部１１０は、下り光信号の波長を各ＯＳＵ２００に通知する波長設定信号を生成する。波長設定信号はＯＳＵ２００に送られる。既に説明したように、ＴＤＭ／ＷＤＭ−ＰＯＮ１０では、各ＯＳＵ２００−ＯＮＵ４００間において、特定の波長で通信を行う。従って、管理部１１０は、各ＯＳＵ２００に対して、それぞれ互いに異なる波長の下り光信号を設定させる。
【００５４】
また、管理部１１０は、送信プランに基づいて、ＯＮＵ４００を新たに登録する先のＯＳＵ２００を決定する。そして、波長通知信号を生成するように、各ＯＳＵ２００に通知する。波長通知信号は、ＯＮＵ４００がディスカバリシーケンスを行うＯＳＵ２００に設定された波長の上り光信号を送信できるように、また、ディスカバリシーケンスを行うＯＳＵ２００に設定された波長の下り光信号を受信できるように、ＯＮＵ４００に指示する信号である。
【００５５】
スイッチング素子１２０は、上位ネットワークと各ＯＳＵ２００との通信経路を設定する。スイッチング素子１２０は、管理部１１０から通知される送信プランに基づいて、下りデータ信号を各ＯＳＵ２００に振り分けて送るとともに、各ＯＳＵ２００から送られた上りデータ信号を上位ネットワークに送る。また、上位ネットワークから送られる下りデータ信号の宛先やトラフィックなどの情報を管理部１１０に通知する。
【００５６】
合分波器１３０は、各ＯＳＵ２００から送られる、それぞれ波長の異なる下り光信号を合波し、光伝送路３００を介してＯＮＵ４００へ送る。また、各ＯＮＵ４００からそれぞれ光伝送路３００を介して送られる、波長多重及び時間多重された上り光信号を、波長毎に分波し、波長に応じたＯＳＵ２００へ送る。
【００５７】
（終端装置）
図２を参照して、ＯＳＵ２００の構成について説明する。この実施の形態では、ＯＳＵ２００は、電気信号処理部２５０、及び光信号処理部２７０を含んで構成されている。電気信号処理部２５０は、インタフェース２５５、電気信号送信部２５７、電気信号受信部２５９、及び制御部２６１を備えている。また、光信号処理部２７０は、光信号送信部２７１、光信号受信部２７３、合分波部２７５を備えている。
【００５８】
インタフェース２５５、電気信号送信部２５７及び電気信号受信部２５９は、任意好適な従来のＰＯＮで用いられるＯＬＴと同様に構成できるので、ここでは詳細な説明を省略する。
【００５９】
インタフェース２５５は、上位ネットワークとの間で、スイッチング素子１２０を介して、上りデータ信号及び下りデータ信号の送受信を行う。インタフェース２５５は、上位ネットワークから受信した下りデータ信号を電気信号送信部２５７に送る。また、インタフェース２５５は、電気信号受信部２５９から受け取った上りデータ信号を上位ネットワークに送る。
【００６０】
電気信号送信部２５７は、インタフェース２５５から受け取った下りデータ信号、及び制御部２６１から受け取った下り制御信号に基づいて下り電気信号を生成する。下り電気信号は、光信号送信部２７１に送られる。
【００６１】
光信号送信部２７１は、下り電気信号を、それぞれ下り光信号に変換する。光信号送信部２７１は、例えばＴＬＤ（Ｔｕｎａｂｌｅ  Ｌａｓｅｒ  Ｄｉｏｄｅ）などの、波長の変更が可能な、任意好適な電気／光変換手段を有して構成されている。
【００６２】
合分波部２７５は、光信号送信部２７１で生成された下り光信号を、合分波器１３０及び光伝送路３００を介してＯＮＵ４００に送る。また、合分波部２７５は、光伝送路３００を介して受け取った上り光信号を光信号受信部２７３に送る。ＴＤＭ／ＷＤＭ−ＰＯＮ１０では、下り光信号と上り光信号とで、異なる波長帯の光が用いられる。そのため、合分波部２７５として、例えばＷＤＭフィルタを利用することによって、上り光信号と下り光信号とを合波及び分波することができる。
【００６３】
光信号受信部２７３は、合分波部２７５を経て送られる上り光信号を上り電気信号に変換する。光信号受信部２７３は、例えばＰＤ（Ｐｈｏｔｏ  Ｄｉｏｄｅ）などの任意好適な光電変換素子を備えて構成されている。ＰＤは、少なくともＯＮＵ４００が設定し得る波長帯の上り光信号を受光できるように設定されている。上り電気信号は、電気信号受信部２５９に送られる。
【００６４】
電気信号受信部２５９は、光信号受信部２７３から受け取った上り電気信号を、上りデータ信号と上り制御信号とに分離する。上りデータ信号は、インタフェース２５５及びスイッチング素子１２０を介して上位ネットワークに送られ、上り制御信号は、制御部２６１に送られる。
【００６５】
制御部２６１は、機能手段として、信号生成手段２６３と、信号読取手段２６５と、ＯＮＵ登録手段２６７と、波長設定手段２６９を備えている。制御部２６１は、従来のＰＯＮで用いられるＯＬＴと同様に構成することができる。そして、各機能手段は、制御部２６１が実行するプログラムにより実現される。また、各機能手段の処理結果等は、適宜ＲＡＭ等の記憶部（図示せず）に格納される。
【００６６】
信号生成手段２６３は、下り制御信号を生成する。下り制御信号としては、例えば、管理部１１０からインタフェース２５５を経て受け取った送信プラン、及びＯＮＵ４００から受け取った要求帯域に基づいて、ＯＮＵ４００に上り光信号の送信帯域及び送信タイミングを指示する帯域割当信号（例えばゲート）や、ディスカバリシーケンスで用いられるディスカバリゲート等がある。また、下り制御信号には、上り光信号の送信波長、及び下り光信号の受信波長を指示する情報等が含まれている。既に説明したように、ＴＤＭ／ＷＤＭ−ＰＯＮ１０では、ＯＮＵ４００は、登録されたＯＳＵ２００との間において、特定の波長で通信を行う。そのために、ＯＮＵ４００に対して、送信先のＯＳＵ２００に応じた特定の波長で上り光信号を送信するように、また、送信先のＯＳＵ２００に応じた特定の波長の下り光信号を受信するように、下り制御信号によって指示する。下り制御信号は、電気信号送信部２５７に送られる。
【００６７】
信号読取手段２６５は、上り制御信号に含まれるＭＡＣアドレス及び要求帯域等の各ＯＮＵの情報を読み取る。
【００６８】
ＯＮＵ登録手段２６７は、ディスカバリシーケンスにより通信が可能になったＯＮＵ４００を登録する。さらに、ＯＮＵ登録手段２６７は、自己のＯＳＵ２００に、どのＯＮＵ４００が登録されているか、すなわち、どのＯＮＵ４００とＰＯＮリンクを確立しているかを示すＰＯＮリンク情報などを、インタフェース２５５を経て管理部１１０に通知する。
【００６９】
波長設定手段２６９は、管理部１１０から送られる波長設定信号に基づき、光信号送信部２７１の下り光信号の波長を設定する。
【００７０】
（加入者側装置）
図３を参照して、ＯＮＵ４００の構成について説明する。
【００７１】
図３に示すように、この実施の形態では、ＯＮＵ４００は、電気信号処理部４５０、及び光信号処理部４７０を含んで構成されている。
【００７２】
電気信号処理部４５０は、インタフェース４５５、バッファ部４５６、電気信号送信部４５７、電気信号受信部４５９、及び制御部４６１を備えている。また、光信号処理部４７０は、光信号送信部４７１、光信号受信部４７３、合分波部４７５を備えている。
【００７３】
インタフェース４５５、バッファ部４５６、電気信号送信部４５７、及び電気信号受信部４５９は、任意好適な従来周知のＯＮＵと同様に構成できるので、ここでは詳細な説明を省略する。
【００７４】
合分波部４７５は、上り光信号と下り光信号とを合波及び分波する、合分波部４７５は、例えばＷＤＭフィルタなどの任意好適な合分波器を備えて構成されている。既に説明したように、ＴＤＭ／ＷＤＭ−ＰＯＮでは、下り光信号と上り光信号とで、異なる波長帯の光が用いられる。そのため、例えばＷＤＭフィルタを利用することによって、上り光信号と下り光信号とを合波及び分波することができる。
【００７５】
光信号受信部４７３は、合分波部４７５を経て送られる下り光信号を下り電気信号に変換する。下り電気信号は、電気信号受信部４５９に送られる。光信号受信部４７３は、可変波長フィルタ４７９、及び例えばＰＤなどの任意好適な光電変換素子４７７を備えて構成されている。ＰＤは、少なくともＯＳＵ２００が設定し得る波長帯の下り光信号を受光できるように設定されている。
【００７６】
可変波長フィルタ４７９は、制御部４６１の可変波長フィルタ制御手段４６７からの通知に応じて、透過波長を設定する。
【００７７】
電気信号受信部４５９は、下り電気信号を、下りデータ信号と下り制御信号とに分離する。そして、下りデータ信号を、インタフェース４５５を経てユーザ端末に送る。また、下り制御信号を制御部４６１に送る。
【００７８】
インタフェース４５５は、ユーザ端末との間で、上りデータ信号及び下りデータ信号の送受信を行う。
【００７９】
バッファ部４５６には、インタフェース４５５を経てユーザ端末から受け取った上りデータ信号が格納される。バッファ部４５６は、格納されたデータ量（バッファ量）を制御部４６１に通知するとともに、制御部４６１からの指示に応答して上りデータ信号を読み出して電気信号送信部４５７に送る。
【００８０】
電気信号送信部４５７は、バッファ部４５６から受け取った上りデータ信号、及び制御部４６１から受け取った上り制御信号に基づいて上り電気信号を生成する。そして、上り電気信号を、光信号送信部４７１に送る。
【００８１】
光信号送信部４７１は、上り電気信号を上り光信号に変換する。光信号送信部４７１は、例えばＴＬＤなどの、波長の変更が可能な、任意好適な電気／光変換手段を有して構成されている。上り光信号の波長は、送信設定手段４６６からの通知に基づいて設定される。そして、光信号送信部４７１で生成された上り光信号は、合分波部４７５へ送られ、光伝送路３００を経てＯＳＵ２００に送られる。
【００８２】
制御部４６１は、信号読取手段４６３、信号生成手段４６５、送信設定手段４６６、可変波長フィルタ制御手段４６７、信号間隔測定手段４６８及びディスカバリ周期算出手段４６９を備えている。
【００８３】
信号読取手段４６３は、下り制御信号に含まれる、上り光信号の送信帯域、送信タイミング、及び送信波長、並びに下り光信号の受信波長を指示する情報等の、ＯＳＵ２００との通信を行うのに必要な情報を読み取る。
【００８４】
信号生成手段４６５は、バッファ部４５６から受け取ったバッファ量を、ＯＳＵ２００に通知する上り制御信号を生成する。上り制御信号は、電気信号送信部４５７に送られる。
【００８５】
送信設定手段４６６は、信号読取手段４６３において読み取った、上り光信号の波長、送信タイミング、及び送信波長を指示する情報等を光信号送信部４７１に通知する。
【００８６】
可変波長フィルタ制御手段４６７は、可変波長フィルタ４７９に、透過波長の変更、及び設定すべき透過波長を通知する。
【００８７】
信号間隔測定手段４６８は、ＯＳＵ２００から送られる帯域割当信号（例えばゲート）の受信間隔を測定する。既に説明したように、帯域割当信号の周期は、ＤＢＡ周期に対応する。従って、信号間隔測定手段４６８は、測定した帯域割当信号の受信間隔に基づいて、ＤＢＡ周期を特定することができる。
【００８８】
ディスカバリ周期算出手段４６９は、ＤＢＡ周期に、パラメータ設定値として予め設定されている上述した定数αを乗算することによって、ディスカバリ周期ＴＤＩＳを算出する。ＯＮＵ４００が未登録である場合には、ディスカバリ周期算出手段４６９によって算出されたディスカバリ周期ＴＤＩＳに基づき、可変波長フィルタ４７９の各透過波長での待機時間ＴＴ−ＦＬが、ディスカバリ周期ＴＤＩＳよりも大きくなる（すなわち、上式（１）の条件を満たす）ように、可変波長フィルタ４７９の透過波長を周期的に変更させる。
【００８９】
（加入者側装置登録方法）
図４を参照して、この実施の形態による加入者側装置登録方法について説明する。図４は、この実施の形態による加入者側装置登録方法における、未登録のＯＮＵ４００の動作を示すフローチャートである。ここでは、加入者側装置登録方法を、上述した標準のディスカバリシーケンスに適用した場合について説明する。
【００９０】
ディスカバリシーケンスは、例えば、未登録のＯＮＵ４００をネットワークに接続し、起動した場合に行われる。また、登録済みのＯＮＵ４００を再起動する場合は、当該ＯＮＵ４００は未登録となり、ディスカバリシーケンスにより再び登録される。
【００９１】
なお、ここでは、第１のＯＳＵ２００−１は波長λ１の下り光信号を送信し、第２のＯＳＵ２００−２は波長λ２の下り光信号を送信し、第３のＯＳＵ２００−３は波長λ３の下り光信号を送信し、第４のＯＳＵ２００−４は波長λ４の下り光信号を送信するものとする。そして、各ＯＳＵ２００−１〜４は、全てのＯＮＵ４００に対して、共通のＤＢＡ周期で周期的に帯域割当信号（ここでは、ゲート）を送信する。ＯＳＵ２００が取り得るＤＢＡ周期の設定値の幅は、システムの運用時において予め設定されており、ＯＮＵ４００にも周知されている。また、少なくとも１つのＯＳＵ２００が、ＤＢＡ周期のα倍に設定されたディスカバリ周期ＴＤＩＳで、全てのＯＳＵ２００に対して、応答要求信号（ここでは、ディスカバリゲート）を送信する。
【００９２】
この実施の形態による加入者側装置登録方法では、未登録のＯＮＵ４００は、可変波長フィルタ４７９の透過波長を順次に変更しつつ、各波長での待機時間ＴＴ−ＦＬを調整して、ＯＳＵ２００からのディスカバリゲートを待機する。
【００９３】
まず、未登録のＯＮＵ４００は、可変波長フィルタ４７９の透過波長を特定の波長に設定するとともに、ＯＳＵから送られるディスカバリゲートの待機時間ＴＴ−ＦＬを設定する（Ｓ１）。
【００９４】
可変波長フィルタ４７９の透過波長は、可変波長フィルタ制御手段４６７の通知に基づいて設定される。ここでは、ＴＤＭ／ＷＤＭ−ＰＯＮが、λ１、λ２、λ３及びλ４の異なる送信波長が割り当てられた４つのＯＳＵ２００−１〜４を備えているので、可変波長フィルタ４７９の透過波長は、λ１、λ２、λ３又はλ４のいずれかの波長に設定される。
【００９５】
また、未登録のＯＮＵ４００は、ＴＤＭ／ＷＤＭ−ＰＯＮが取り得る範囲内の、任意の値のＤＢＡ周期に、定数αを乗算した時間をディスカバリ周期ＴＤＩＳとして想定する。そして、上式（１）の条件（ＴＴ−ＦＬ＞ＴＤＩＳ）に基づき、待機時間ＴＴ−ＦＬを、想定するディスカバリ周期ＴＤＩＳよりも大きな値に設定する。既に説明したように、定数αは、予め設定されたパラメータ設定値であり、各ＯＮＵ４００にも周知されている。
【００９６】
次に、未登録のＯＮＵ４００は、ゲートを受信する（Ｓ２）。
【００９７】
上述したように、各ＯＳＵ２００−１〜４は、全てのＯＮＵ４００に対して、ＤＢＡ周期で周期的にゲートを送信する。従って、上述したＳ１において、可変波長フィルタ４７９の透過波長が、λ１、λ２、λ３又はλ４のいずれの値に設定された場合でも、未登録のＯＮＵ４００は、ゲートを受信することができる。
【００９８】
ここで、図５に、上述したＩＥＥＥ８０２．３ａｖで規定されるゲートのフレーム構成を示す。フレームの種類は、Ｏｐｃｏｄｅによって差別化される。そして、ゲートは、Ｏｐｃｏｄｅ＝０×０００２によって表される。未登録のＯＮＵ４００は、ゲートを受信すると、信号読取手段４６３によってＯｐｃｏｄｅ＝０×０００２を読み取ることによって、ゲートの受信を認識する。
【００９９】
また、通常、ディスカバリ周期ＴＤＩＳはＤＢＡ周期の例えば１００倍程度に設定される（すなわち、α＝１００）。そして、上述したように、未登録のＯＮＵ４００の待機時間ＴＴ−ＦＬは、想定するディスカバリ周期ＴＤＩＳよりも大きな値に設定される。従って、未登録のＯＮＵ４００は、Ｓ１で設定した可変波長フィルタ４７９の透過波長及び待機時間ＴＴ−ＦＬにおいて、２つ以上のゲートを受信することができる。
【０１００】
次に、未登録のＯＮＵ４００は、待機時間ＴＴ−ＦＬを更新する（Ｓ３）。
【０１０１】
上述したように、未登録のＯＮＵ４００は、Ｓ２において２つ以上のゲートを受信する。従って、信号間隔測定手段４６８によって、ゲートの受信間隔、すなわちＤＢＡ周期を測定することができる。そして、ディスカバリ周期算出手段４６９によって、ＤＢＡ周期に、定数αを乗算することによって、ディスカバリ周期ＴＤＩＳを算出し、特定することができる。
【０１０２】
未登録のＯＮＵ４００は、特定したディスカバリ周期ＴＤＩＳに基づき、待機時間ＴＴ−ＦＬを更新する。例えば、Ｓ１で設定した待機時間ＴＴ−ＦＬが、特定したディスカバリ周期ＴＤＩＳよりも小さい場合には、ディスカバリ周期ＴＤＩＳよりも大きくなる（上式（１）の条件を満たす）ように、待機時間ＴＴ−ＦＬを変更する。
【０１０３】
また、Ｓ１で設定した待機時間ＴＴ−ＦＬが、特定したディスカバリ周期ＴＤＩＳよりも小さい場合であっても、上式（１）の条件を満たす、ＯＮＵの受信精度に応じて可能な範囲の最小値に、待機時間ＴＴ−ＦＬを変更する。
【０１０４】
Ｓ３において、待機時間ＴＴ−ＦＬを更新した後は、未登録のＯＮＵ４００は、更新した待機時間ＴＴ−ＦＬで周期的に、可変波長フィルタ４７９の透過波長を変更しつつ、ディスカバリゲートの受信を待機する。以下、ディスカバリゲートの待機について説明する。なお、ディスカバリゲートの待機中において、ゲートの受信間隔、すなわちＤＢＡ周期が変更される場合には、未登録のＯＮＵ４００は、変更されたＤＢＡ周期に基づいて、再び待機時間ＴＴ−ＦＬを更新する。
【０１０５】
未登録のＯＮＵ４００は、ディスカバリゲートの受信を判定する（Ｓ４）。
【０１０６】
ディスカバリゲートを受信した場合（Ｓ４のＹｅｓ）には、未登録のＯＮＵ４００は、ディスカバリシーケンスによって指示されるいずれかのＯＳＵ２００と上述したディスカバリシーケンスを行う。
【０１０７】
ディスカバリゲートを受信しない場合（Ｎｏ）には、Ｓ５に進み、Ｓ３において更新した待機時間ＴＴ−ＦＬを経過するまで、ディスカバリシーケンスを待機する。
【０１０８】
Ｓ５において、未登録のＯＮＵ４００は、制御部４６１によって待機時間ＴＴ−ＦＬの経過を判定する。待機時間ＴＴ−ＦＬを経過した場合（Ｙｅｓ）には、Ｓ６に進む。待機時間ＴＴ−ＦＬを経過していない場合（Ｎｏ）には、Ｓ４に戻り、ディスカバリゲートの受信を判定する。
【０１０９】
Ｓ６において、未登録のＯＮＵ４００は、可変波長フィルタ４７９の透過波長を変更し、異なる透過波長を設定する。ここでは、ディスカバリシーケンスを受信せずに待機時間ＴＴ−ＦＬを経過する毎に、例えばλ１、λ２、λ３及びλ４の順に、順次に透過波長を変更して設定する。可変波長フィルタ４７９の透過波長を変更した後は、Ｓ４に戻り、再びディスカバリゲートを待機する。
【０１１０】
以上に説明したように、この実施の形態による加入者側装置登録方法では、未登録のＯＮＵ４００が、ゲートの受信間隔に基づいて、ディスカバリ周期ＴＤＩＳを算出して特定することができる。そのため、上式（１）の条件を満たす待機時間ＴＴ−ＦＬを確実に設定することができる。
【０１１１】
また、この発明による加入者側装置登録方法では、ディスカバリ周期ＴＤＩＳを特定できるため、待機時間ＴＴ−ＦＬを、上式（１）の条件を満たした上で、取り得る最小値に設定することができる。そのため、ディスカバリゲートの波長と、可変波長フィルタ４７９の透過波長とが一致しない状態におけるタイムアウトまでの時間を短縮することができる。その結果、ディスカバリシーケンスを早期に開始及び完了することができる。
【０１１２】
なお、ＴＤＭ／ＷＤＭ−ＰＯＮでは、タイミングによっては、ＯＳＵ２００−１〜４のうちのいずれか１つ又は複数が稼働していない場合がある。そして、上述したＳ１において設定する可変波長フィルタ４７９の透過波長が、稼働していないＯＳＵ２００に割り当てられた送信波長と一致する場合がある。その場合には、未登録のＯＮＵ４００は、Ｓ２においてゲートを受信することができない。そこで、Ｓ２においてゲートを受信しない場合には、例えばＳ２及びＳ３を行わずに、Ｓ４に移行することができる。そして、Ｓ４〜Ｓ６におけるディスカバリゲートの待機中にゲートを受信した際に、待機時間ＴＴ−ＦＬを変更することができる。
【０１１３】
また、ＯＮＵ４００に、例えば光強度を測定するパワー検出部を設けることもできる（図示せず）。そして、Ｓ２においてゲートを受信しない時間が一定時間を経過するとき、Ｓ１で設定された待機時間ＴＴ−ＦＬを待たずに、速やかに可変波長フィルタ４７９の透過波長を変更する構成とすることもできる。設定する一定時間は、例えば、ＯＳＵ２００が取り得るＤＢＡ周期の最大値とするのが好ましい。ある透過波長において、ＤＢＡ周期の最大値の時間を経過しても、未登録のＯＮＵ４００がゲートを受信しない場合、その透過波長と一致する送信波長が割り当てられたＯＳＵ２００は稼働していないと考えられる。従って、ゲートを受信しない時間が、ＤＢＡ周期の最大値の時間を経過する際に、未登録のＯＮＵ４００が速やかに透過波長を変更することによって、稼働していないＯＳＵ２００に対する待機時間を短縮することができる。
【０１１４】
図６（Ａ）を参照して、この実施の形態による加入者側装置登録方法を用いて待機時間ＴＴ−ＦＬを設定した場合において、未登録のＯＮＵ４００がディスカバリゲートを受信するまでの流れを説明する。
【０１１５】
ここでは、第１のＯＳＵ２００−１が、１００ｍｓのディスカバリ周期ＴＤＩＳで、λ１の波長のディスカバリゲートを送信するものとする。また、未登録のＯＮＵ４００は、起動後に、透過波長がλ１に設定された状態において、上述したＳ２及びＳ３のステップを行い、上式（１）を満たす条件として、待機時間ＴＴ−ＦＬを２００ｍｓに設定するものとする。また、未登録のＯＮＵ４００は、上述したＳ４〜Ｓ６のステップにおいて、可変波長フィルタ４７９の透過波長をλ１、λ２、λ３及びλ４の順に変更して、ディスカバリゲートを待機する。また、可変波長フィルタ４７９の透過波長を変更する際に、１００ｍｓの波長変換時間Ｔｔｒａｎｓを要する。そして、図６の例では、最悪条件として、未登録のＯＮＵ４００の起動後、λ１からλ２への波長変換時に、最初のディスカバリゲートが送られた場合を想定して示してある。
【０１１６】
図６（Ａ）から、未登録のＯＮＵ４００が受信できるまでに要する、ディスカバリゲートの送信回数Ｎは、下式（３）で表すことができる。
【０１１７】
Ｎ＝｛ＴＴ−ＦＬ×（ｎλ−１）＋Ｔｔｒａｎｓ×（ｎλ）｝／ＴＤＩＳ＋１      ・・・（３）
なお、ｎλは、可変波長フィルタ４７９が透過波長を掃引するに当たり、設定する透過波長の数である。ここでは、λ１、λ２、λ３及びλ４の４つであるため、ｎλ＝４となる。
【０１１８】
この例では、１１回目のディスカバリゲートが送られるとき、未登録のＯＮＵ４００では、可変波長フィルタ４７９の透過波長がλ１に設定されており、ディスカバリゲートを受信することができる。従って、未登録のＯＮＵ４００がディスカバリゲートを受信するまでに要する時間は、最大で１１００ｍｓとなる。
【０１１９】
次に、図６（Ｂ）を参照して、上述した最大想定法を用いて待機時間ＴＴ−ＦＬを設定した場合において、未登録のＯＮＵ４００がディスカバリゲートを受信するまでの流れを説明する。
【０１２０】
ここでは、ＤＢＡ周期の設定値の幅が１〜１０ｍｓ、及び定数αが１００であるとし、従って、取り得るディスカバリ周期ＴＤＩＳが１００〜１０００ｍｓであるとする。そして、未登録のＯＮＵ４００は、ディスカバリ周期ＴＤＩＳの最大値（１０００ｍｓ）に基づき、待機時間ＴＴ−ＦＬを２０００ｍｓに設定するものとする。
【０１２１】
他の条件を上述した図６（Ａ）の例と同様とする場合、上式（３）から、最大想定法では、未登録のＯＮＵ４００は、６５回目のディスカバリゲートを受信する。従って、未登録のＯＮＵ４００がディスカバリゲートを受信するまでに要する時間は、最大で６５００ｍｓとなる。
【０１２２】
このように、この実施の形態による加入者側装置登録方法を用いて待機時間ＴＴ−ＦＬを設定することによって、従来の最大想定法を用いる場合と比して、ディスカバリゲートを受信するまでに要する時間を著しく短縮することができる。
【符号の説明】
【０１２３】
１０：ＴＤＭ／ＷＤＭ−ＰＯＮ
１００：局側装置（ＯＬＴ）
１１０：管理部
１２０：スイッチング素子
１３０：合分波器
２００：終端装置（ＯＳＵ）
２５０、４５０：電気信号処理部
２５５、４５５：インタフェース
２５７、４５７：電気信号送信部
２５９、４５９：電気信号受信部
２６１、４６１：制御部
２６３、４６５：信号生成手段
２６５、４６３：信号読取手段
２６７：ＯＮＵ登録手段
２６９：波長設定手段
２７０、４７０：光信号処理部
２７１、４７１：光信号送信部
２７３、４７３：光信号受信部
２７５、４７５：合分波部
３００：光伝送路
３１０、３３０：光ファイバ
３２０：光スプリッタ
４００：加入者側装置（ＯＮＵ）
４５６：バッファ部
４６６：送信設定手段
４６７：可変波長フィルタ制御手段
４６８：信号間隔測定手段
４６９：ディスカバリ周期算出手段
４７７：光電変換素子
４７９：可変波長フィルタ
【要約】      （修正有）【課題】ＴＤＭ／ＷＤＭ−ＰＯＮにおいて、ＤＢＡ周期の変更に対応して、各透過波長での未登録のＯＮＵの待機時間を設定でき、その結果、ディスカバリシーケンスを早期に完了できる加入者側装置登録方法を提供する。【解決手段】複数の終端装置が、全ての加入者側装置に対して、第１周期で周期的に帯域割当信号を送信する。また、少なくとも１つの終端装置が、第１周期の定数倍の第２周期で、全ての加入者側装置に対して、応答要求信号を送信する。そして、複数の帯域割当信号を受け取った未登録の加入者側装置が、帯域割当信号の受信間隔に基づいて第１周期を特定し、及び第１周期に基づいて第２周期を算出する。次に、未登録の加入者側装置が、算出した第２周期よりも長い周期で、周期的に可変波長フィルタの透過波長を変更する。応答要求信号を受け取った未登録の加入者側装置と、いずれかの終端装置とが、登録処理を行う。【選択図】図４【図１】
0005482931.tif 000002
【図２】
0005482931.tif 000003
【図３】
0005482931.tif 000004
【図４】
0005482931.tif 000005
【図５】
0005482931.tif 000006
【図６】
0005482931.tif 000007